(57)【要約】【課題】画像処理にかかるコストを抑えつつ、ドットパターン（地紋画像）の印刷された原稿に対する複写の抑止効果を高める。【解決手段】ユーザは、操作パネルからＩＤとパスワードを入力する（ステップＳ１１）。原稿のコピー開始を指示するスタートキーが押下されたら（ステップＳ１２；ＹＥＳ）ドットパターン検出部は画像データから予め定められた周期からなるドットパターンを検出する（ステップＳ１４）。ドットパターンが検出されたら（ステップＳ１５；ＹＥＳ）、表示制御部は操作パネルにドットパターンが検出されたことを示すメッセージを表示する（ステップＳ１６）。コピー動作の続行が指示されたら（ステップＳ１７；ＹＥＳ）、イメージログ生成部は原稿の読み取り完了後にイメージログとログ情報を生成し、イメージログ送信制御部はイメージログとログ情報を管理者用コンピュータに送信する（ステップＳ１９）。【選択図】図４
2010109730.tif 000002
【特許請求の範囲】
【請求項１】
原稿を読み取って原稿画像を取得する読取手段と、
前記原稿画像に予め定められた周期からなるドットが規則的に配置されたドットパターンが含まれているか否かを検出する検出手段と、
前記原稿画像から簡易原稿画像を生成する生成手段と、
前記読取手段により読み取り処理に関するログ情報を作成する作成手段と、
前記予め定められた周期からなるドットパターンが検出された場合、前記簡易原稿画像及び前記ログ情報を予め定められた外部装置に送信する送信手段と、
を備えた画像読取装置。
【請求項２】
前記簡易原稿画像を記憶する記憶手段を更に備え、
前記生成手段は、前記原稿画像に対して画像サイズの縮小又は２値化処理を行うことによって前記簡易原稿画像を生成するものである請求項１に記載の画像読取装置。
【請求項３】
ユーザを識別する識別手段を更に備え、
前記作成手段は、前記識別手段によって識別されたユーザの情報を含んだログ情報を作成するものである請求項１又は２に記載の画像読取装置。
【請求項４】
前記記憶手段は、前記簡易原稿画像に識別番号を付して記憶するものであり、
前記送信手段は、前記簡易原稿画像に代えて前記識別番号を前記外部装置に送信するものである請求項１〜３の何れか一項に記載の画像読取装置。
【請求項５】
前記送信手段によって前記簡易原稿画像が前記外部装置に送信された場合、前記記憶手段に記憶された当該簡易原稿画像を消去する消去手段を更に備える請求項１〜３の何れか一項に記載の画像読取装置。
【請求項６】
前記ドットパターンが検出された場合、前記送信手段によって前記簡易原稿画像及び前記ログ情報が外部装置に送信されたことを表すメッセージ、及び前記読取手段による原稿の読み取りを続行するか否かのメッセージを表示手段に表示させる表示制御手段と、
前記読取手段に対して原稿の読み取りを続行させるか否かの指示入力を受け付ける指示受付手段と、
前記指示受付手段が前記読み取りを続行しない指示入力を受け付けた場合、前記読取手段に対して原稿の読み取りを中止させる中止手段と、
を備えた請求項１〜５の何れか一項に記載の画像読取装置。
【請求項７】
請求項１〜６の何れか一項に記載の画像読取装置と、
前記原稿画像に基づいた画像を記録紙に生成する画像形成手段と、
を備えた画像形成装置。
【発明の詳細な説明】
【技術分野】
【０００１】
本発明は、予め定められた周期からなるドットパターンを検出可能な画像読取装置、及びそのような画像読取装置を備えた画像形成装置に関するものである。
【背景技術】
【０００２】
特許文献１に記載されているように、コンピュータを用いて作成した原稿データに地紋画像データをプリンタ等の画像形成装置内部で合成することによって、印刷物にセキュリティを持たせる方法がある。この地紋画像はドットパターンとして形成され、複写すると“ＣＯＰＹ”等の警告文字が浮き出るものの他、プリンタ情報や印刷日時等の出所情報を電子透かしとして埋め込み可能なものもある。このような地紋画像が印刷されていることにより、原稿に何らかのセキュリティ処理が施されていると思わせることができることから、原稿の不正複写や持ち出し行為を抑止することができる。
【０００３】
更に、特殊なドットパターンが組み込まれたマスクパターンを原稿画像と共に印刷し、その原稿を複写しようとしたとき、複写機がそのドットパターンを認識することによって原稿の複写を禁止する、或いは原稿の印刷は行わずに例えばベタ画像を形成して原稿の情報漏えいを抑止するコピーガード機能を備えた複写機が知られている。
【特許文献１】特開２００１−３４６０３２号公報
【特許文献２】特開２００４−２７４０９２号公報
【発明の開示】
【発明が解決しようとする課題】
【０００４】
しかしながら、原稿に地紋画像を印刷する場合、不正複写の心理的な抑止効果はあるものの、物理的に複写を防止できるものではなく、情報漏えいを完全に防ぐことはできない。更に、コピーガード機能を備えた複写機はドットパターンを確実に検出する必要があり、パターンマッチング用のメモリの設置や画像処理が複雑になる等の理由でコストが増大するといった課題があった。
【０００５】
本発明は、上記の問題を解決するためになされたもので、上記のような理由のコストを抑えつつ、地紋画像の印刷された原稿に対する複写の抑止効果を高める画像読取装置及び画像形成装置を提供することを目的とするものである。
【課題を解決するための手段】
【０００６】
請求項１に記載の発明の画像読取装置は、原稿を読み取って原稿画像を取得する読取手段と、前記原稿画像に予め定められた周期からなるドットが規則的に配置されたドットパターンが含まれているか否かを検出する検出手段と、前記原稿画像から簡易原稿画像を生成する生成手段と、前記読取手段により読み取り処理に関するログ情報を作成する作成手段と、前記予め定められた周期からなるドットパターンが検出された場合、前記簡易原稿画像及び前記ログ情報を予め定められた外部装置に送信する送信手段と、を備えたものである。
【０００７】
一般的に地紋画像は、ドットが規則的に配置されたドットパターンによって形成されている。つまり、規則的に配置されたドットパターンを検出することは、地紋画像を検出することに繋がる。この構成によれば、原稿画像からドットパターンが検出されたら、簡易原稿画像とログ情報を外部装置（例えば、管理者用コンピュータ）に送信することで、不正な読み取り行為に対する抑止効果を高めることができる。
【０００８】
検出手段は、例えば、ドットパターンのドット間隔の算出する方法や、原稿画像に対して平滑化フィルタであるガウシアンフィルタ処理等を施し、処理後の濃度のばらつきの大きさを算出することで規則性の有無を判定する方法によってドットパターンの有無を検出することができる。このような方法でドットパターン（地紋画像）を検出することによって、パターンマッチング用のメモリや複雑な画像処理を行う回路は不要となり、コストを抑えつつ、複写の抑止効果を高めることができる。
【０００９】
請求項２に記載の発明は、請求項１に記載の画像読取装置であって、前記簡易原稿画像を記憶する記憶手段を更に備え、前記生成手段は、前記原稿画像に対して画像サイズの縮小又は２値化処理を行うことによって前記簡易原稿画像を生成するものである。
【００１０】
この構成によれば、前記原稿画像に対して画像サイズの縮小又は２値化処理を行うことによって、簡易原稿画像のデータサイズを原稿画像に比べて縮小させることができ、記憶手段の容量を低減させることができる。
【００１１】
請求項３に記載の発明は、請求項１又は２に記載の画像読取装置であって、ユーザを識別する識別手段を更に備え、前記作成手段は、前記識別手段によって識別されたユーザの情報を含んだログ情報を作成するものであるである。
【００１２】
この構成によれば、原稿画像からドットパターンが検出されたら、簡易原稿画像とユーザの情報が含まれたログ情報を外部装置（例えば、管理者用コンピュータ）に送信することで、不正な読み取り行為に対する抑止効果を高めることができる。
【００１３】
請求項４に記載の発明は、請求項１〜３の何れか一項に記載の画像読取装置であって、前記記憶手段は、前記簡易原稿画像に識別番号を付して記憶するものであり、前記送信手段は、前記簡易原稿画像に代えて前記識別番号を前記外部装置に送信するものである。
【００１４】
この構成によれば、データサイズの大きい簡易原稿画像に代えて識別番号を送信することによって、送信手段の処理負荷を軽減させることができる。
【００１５】
請求項５に記載の発明は、請求項１〜３の何れか一項に記載の画像読取装置であって、前記送信手段によって前記簡易原稿画像が前記外部装置に送信された場合、前記記憶手段に記憶された当該簡易原稿画像を消去する消去手段を更に備える。
【００１６】
この構成によれば、記憶手段における簡易原稿画像で占められる記憶領域を削減させることができ、記憶手段の記憶領域を有効的に活用することができる。
【００１７】
請求項６に記載の発明は、請求項１〜５の何れか一項に記載の画像読取装置であって、前記ドットパターンが検出された場合、前記送信手段によって前記簡易原稿画像及び前記ログ情報が外部装置に送信されたことを表すメッセージ、及び前記読取手段による原稿の読み取りを続行するか否かのメッセージを表示手段に表示させる表示制御手段と、前記読取手段に対して原稿の読み取りを続行させるか否かの指示入力を受け付ける指示受付手段と、前記指示受付手段が前記読み取りを続行しない指示入力を受け付けた場合、前記読取手段に対して原稿の読み取りを中止させる中止手段と、を備えている。
【００１８】
ユーザは原稿に地紋画像等の特殊なドットパターンが印刷されていることを知らずに原稿の読み取りを行う可能性もあるため、ドットパターンが検出されたことを示すメッセージを表示手段に表示させることによって、読み取り行為に対する抑止効果を高めることができる。また、ドットパターンが印刷されていて複写が禁止されている原稿であることをユーザは認識しているにも関わらず、読み取りを行おうとしている場合は、この読み取り動作に関するログ情報が管理者に通知されることを示すメッセージを表示することによって、読み取り行為に対する抑止効果を更に高めることができる。
【００１９】
請求項７に記載の発明の画像形成装置は、請求項１〜６の何れか一項に記載の画像読取装置と、前記原稿画像に基づいた画像を記録紙に生成する画像形成手段と、を備えている。
【００２０】
この構成によれば、請求項１〜６と同様の効果を奏すると共に、不正複写に対する抑止効果を高めることができる。
【発明の効果】
【００２１】
この発明によれば、原稿画像からドットパターンが検出されたら、簡易原稿画像とログ情報を外部装置（例えば、管理者用コンピュータ）に送信することで、不正な読み取り行為に対する抑止効果を高めることができる。
【発明を実施するための最良の形態】
【００２２】
以下、本発明における画像読取装置及び画像形成装置について説明する。尚、以下の実施の形態における画像形成装置は本発明における画像読取装置を備えており、画像形成装置として複写機を例に説明する。その他に、コピー、スキャナ、ファクシミリ及びプリンタ等の機能を備えた複合機であってもよい。
【００２３】
図１は、本実施の形態による複写機１の機械的構成を主に示す側面概略図である。複写機１は、本体部２０と、本体部２０の左側に配設された用紙後処理部３００と、ユーザが種々の操作指令等を入力するための入力操作部４００と、本体部２０の上部に配設された原稿読取部５００と、原稿読取部５００の上方に配設された原稿給送部６００とから構成される。
【００２４】
入力操作部４００は、操作パネル４０１、スタートキー４０２、テンキー４０３及びストップキー４０４等を備える。操作パネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。ストップキー４０４は、スキャンやコピー動作を中止させるときに用いられる。
【００２５】
原稿給送部６００は、原稿載置部６０１、原稿排出部６０２、給紙ローラ６０３及び原稿搬送部６０４、及びコンタクトガラス６０５等を備え、原稿読取部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は、ＣＣＤ（Charge Coupled Device)センサやＣＭＯＳ（Complementary Metal Oxide Semiconductor）センサ、露光ランプ等からなり、搬送される原稿を順次読み取り、画像データを出力する。読み取られた原稿は原稿排出部６０２に排出される。また、スキャナ５０１は、コンタクトガラス６０５に載置された原稿を読み取る場合は、図略の駆動部によってＡ方向にスライドされ、原稿を読み取る。
【００２６】
本体部２０は、複数の給紙カセット２０１、複数の給紙ローラ２０２、転写ローラ２０３、感光体ドラム２０４、露光装置２０５、現像装置２０６、定着ローラ２０８、排出口２０９、及び排出トレイ２１０を備える。
【００２７】
感光体ドラム２０４は、矢印方向に回転しながら帯電装置（図示省略）によって一様に帯電される。露光装置２０５は、原稿読取部５００において読み取られた原稿の画像データに基づいて生成された変調信号をレーザ光に変換して出力し、感光体ドラム２０４に静電潜像を形成する。現像装置２０６は、現像剤を感光体ドラム２０４に供給してトナー像を形成する。
【００２８】
一方、給紙ローラ２０２は、記録紙が収納された給紙カセット２０１から記録紙を引き出し、引き出した記録紙を転写ローラ２０３へと搬送する。転写ローラ２０３は、搬送された記録紙に感光体ドラム２０４上のトナー像を転写させる。トナー像が転写された記録紙は、定着ローラ２０８へと搬送され、定着ローラ２０８は、転写されたトナー像を加熱して記録紙に定着させる。その後、記録紙は、排出口２０９へと搬送され用紙後処理部３００に搬入される。また、記録紙は、必要に応じて排出トレイ２１０へも排出される。
【００２９】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００３０】
図２は、本実施の形態における複写機１の電気的構成を示す機能ブロック図である。複写機１は、制御部１００、一次記憶部１１０、二次記憶部１２０、原稿読取部５００、画像メモリ１３０、画像処理部１４０、画像形成部１５０、用紙後処理部３００、入力操作部４００及びネットワークＩ／Ｆ部１６０を備えて構成されている。尚、図１を用いて説明した複写機１の構成要素と同じものには同符号を付して、説明を省略する。
【００３１】
制御部１００は、ＣＰＵ（Central Processing Unit：中央処理装置）等によって構成され、入力された指示信号等に応じて一次記憶部１１０に記憶されたプログラムを読み出して処理を実行し、各機能部への指示信号の出力、データ転送等を行って複写機１を統括的に制御するものである。制御部１００は、個人認証部１０１、ドットパターン検出部１０２、イメージログ生成部１０３、イメージログ送信制御部１０４及び表示制御部１０５を有する。
【００３２】
個人認証部１０１は、入力操作部４００よりユーザによってＩＤとパスワードが入力された場合に、後述するＩＤ情報記憶部１１１に記憶されているＩＤとパスワードが合致しているか否かの認証処理を行う。
【００３３】
ドットパターン検出部１０２は、原稿読取部５００によって取得された原稿画像から予め定められた周期からなるドットパターン（以下、単に「ドットパターン」という）を検出する。通常、地紋画像を形成するドットパターンは、写真画像等の中間調表現（ディザ法等）するための画像処理パターンとは異なってくる。また、地紋画像の背景部と潜像部とでは異なるスクリーン線数（ドットパターンの周期）を有し、背景部と潜像部のどちらか一方のドットパターンは、複写後に消失されないように極めて低いスクリーン線数（例えば、６０線）で印刷される。このスクリーン線数は固定されることが一般的であり、通常のオフセット印刷では使用されることが稀である。このような理由から、ドットパターン検出部１０１は、予め定められた線数（例えば、６０線）のスクリーン線数を持った画像を検出する。これにより、地紋画像を形成するドットパターン検出することができる。尚、ドットパターンの検出に用いるスクリーン線数の値は適宜変更されるものとする。
【００３４】
ドットパターン検出部１０２の検出方法は、上記のようにドットパターンのスクリーン線数を算出する方法の他に、原稿画像に対して平滑化フィルタであるガウシアンフィルタ処理等を施し、処理後の濃度のばらつきの大きさを算出することで規則性の有無を判定して、ドットパターンの有無を検出する方法でもよい。
【００３５】
イメージログ生成部１０３は、原稿画像からドットパターンが生成された場合、まず、原稿読取部５００によって読み取られた画像データから簡易原稿画像を生成する。ここで、簡易原稿画像とは、読み取られた原稿画像に対して画像サイズの縮小処理、２値化処理等を行って、原稿画像よりデータサイズを小さくした画像のことである。更に、イメージログ生成部１０３は、原稿読取部５００によって原稿画像が読み取られた日にち、時間及びユーザのＩＤ等のログ情報を生成し、このログ情報を簡易原稿画像に付加してイメージログを生成する。生成されたイメージログは、後述するイメージログ記憶部１２１に記憶される。
【００３６】
イメージログ送信制御部１０４は、イメージログを管理者用コンピュータ９００へ送信するための制御をネットワークＩ／Ｆ部１６０に対して行う。表示制御部１０５は、入力操作部４００が有する操作パネル４０１に種々のメッセージやボタン等を表示させる制御を行う。
【００３７】
一次記憶部１１０は、複写機１の備える種々の機能を実現するためのプログラムやデータ等を記憶する主記憶装置である。本実施の形態ではＩＤ情報記憶部１１１として機能する。図３は、ＩＤ情報記憶部１１１のデータ構成を示した図である。ＩＤ情報記憶部１１１は、各ユーザに割り当てられているＩＤとパスワードが対応付けられて記憶されている。このＩＤ情報記憶部１１１に記憶されているデータは、個人認証部１０１が認証処理を行う際に用いられる。
【００３８】
二次記憶部１２０は、光ディスクやＨＤＤ（ハードディスクドライブ）等の補助記憶装置であり、イメージログ記憶部１２１として機能する。イメージログ記憶部１２１は、イメージログ生成部１０３で生成されたイメージログを記憶する。各イメージログは文書番号と対応付けられて記憶される。尚、ＩＤ情報記憶部１１１は、二次記憶部１２０に記憶されても構わない。
【００３９】
画像メモリ１３０は、ネットワークＩ／Ｆ部１６０を介して外部装置から送信された画像データを一時的に記憶する。画像処理部１４０は、画像メモリ１３０に記憶されている画像データに対して画像補正や拡大・縮小等の画像処理を施す。画像形成部１５０は、画像メモリ１３０から出力された画像データに基づいた画像を用紙に形成するものであり、図１に示した感光体ドラム２０４、露光装置２０５、現像装置２０６等を有する。ネットワークＩ／Ｆ部１６０は、ＬＡＮボード等の通信モジュールから構成され、ネットワークＩ／Ｆ部１６０と接続されたネットワークを介して管理者用コンピュータ９００等の外部装置と種々のデータの送受信を行う。
【００４０】
図４は、複写機１のコピー処理の流れの一例を示したフローチャートであり、図５及び６は、操作パネル４０１の画面例を示したものである。本実施の形態におけるコピー処理の流れを図４〜６を用いて説明する。尚、本発明は、原稿画像の読み取りのみを行う処理について適用可能であるが、本実施の形態ではコピー処理を例に説明する。
【００４１】
まず、個人認証部１０１は入力されたユーザのＩＤ及びパスワードの認証処理を行う（ステップＳ１１）。具体的には、表示制御部１０５が図５に示すようなＩＤとパスワードの入力画面を操作パネル４０１に表示させる。ユーザがテンキー４０３等を用いてＩＤとパスワードを入力すると、個人認証部１０１はＩＤ情報記憶部１１１に基づいて入力されたＩＤとパスワードの認証処理を行う。個人認証は、ＩＤとパスワードを用いる方法の他に、ＩＣカード認証等を用いてもよい。この場合、複写機１はＩＣカードリーダ装置を備える。尚、ＩＤやパスワードが間違っている等して、個人認証部１０１がユーザの識別を行えなかった場合、原稿のスキャンやコピー動作を禁止する設定としてもよい。
【００４２】
そして、ユーザによってスタートキー４０２が押下されたら（ステップＳ１２；ＹＥＳ）、原稿読取部５００は原稿を読み取ることによって原稿画像を取得し（ステップＳ１３）、ドットパターン検出部１０２は原稿画像からドットパターンを検出する（ステップＳ１４）。
【００４３】
ドットパターンが検出された場合（ステップＳ１５；ＹＥＳ）、表示制御部１０５は図６に示すようなドットパターンが検出されたことを示すメッセージを操作パネル４０１に対して表示させる（ステップＳ１６）。ユーザは原稿にドットパターン（地紋画像）が印刷されていることを知らずに原稿のコピーを行う可能性もあるため、ドットパターンが検出されたことを示すメッセージを表示することによって、コピー動作に対する抑止効果を高めることができる。また、地紋画像が印刷されていて複写が禁止されている原稿であることをユーザは認識しているにも関わらず、コピーを行おうとしている場合は、このコピーに関するログ情報が管理者に通知されることを示すメッセージを表示することによって、コピー動作に対する抑止効果を更に高めることができる。
【００４４】
ユーザによってコピー動作の続行指示を示す操作がなされたら、つまり、図６に示す画面例の場合、スタートキー４０２が押下されたら（ステップＳ１７；ＹＥＳ）、原稿読取部５００は原稿画像の読み取り動作を続行し、読み取り終了後、イメージログ生成部１０３がイメージログを生成する（ステップＳ１８）。そしてイメージログ生成部１０３は、生成したイメージログをイメージログ記憶部１２１に記憶させ、更にイメージログ制御送信部１０４はネットワークＩ／Ｆ部１６０を介してイメージログを管理者用コンピュータ９００に送信する（ステップＳ１９）。
【００４５】
ここで、イメージログ送信制御部１０４は、イメージログがイメージログ記憶部１２１に記憶される際に付加される文書番号を管理者用コンピュータ９００に送信してもよい。この場合、イメージログ記憶部１２１に記憶されたイメージログは、管理人等の特定の人物のみが消去可能とする。そして、画像形成部１５０は、画像データが示す画像を記録紙に形成し（ステップＳ２０）、処理を終了する。
【００４６】
一方、画像データからドットパターンが検出されなかった場合（ステップＳ１５；ＮＯ）、制御部１００はステップＳ２０へ処理を移行する。また、ドットパターンが検出された後、ユーザによってコピー動作の中止を指示する操作がなされたら、つまり、図６に示す画面例の場合、ストップキー４０４が押下されたら（ステップＳ１７；ＮＯ）、制御部１００はコピー処理を終了する。
【００４７】
以上、説明したように、原稿画像を示す画像データから予め定められたドットパターンが検出された場合、イメージログを管理者に送信することによって、不正複写の抑止効果を高めることができる。そして、コピーガード機能を備えた複写機の場合、コピーガードを示す特殊なドットパターンを確実に検出する必要があるため、パターンマッチング用のメモリの設置や画像処理が複雑になる等の理由でコストが増大していたりしたが、本発明の場合はコストを抑えて地紋画像が印刷された原稿の複写の抑止効果を高めることができる。
【００４８】
尚、本発明は、上記実施の形態の構成に限られず適宜変形可能である。例えば、イメージログ生成部１０３は、ドットパターン検出部１０２によってドットパターンが検出された場合にイメージログを生成することとしたが、ドットパターンが検出されなくてもイメージログを生成するようにしてもよい。そしてドットパターンが検出されなかった場合は、そのイメージログをイメージログ記憶部１２１から消去するか否かを管理者が設定可能なようにしてもよい。ドットパターンが検出されなかった場合はイメージログ記憶部１２１からそのイメージログを消去する設定とすることで、二次記憶部１２０の空き容量を増やすことができる。
【００４９】
また、イメージログ送信制御部１０４がイメージログを管理者用コンピュータ９００に送信した場合、制御部１００は二次記憶部１２０からそのイメージログを消去するようにしてもよい。こうすることで二次記憶部１２０の空き容量を増やすことができる。
【００５０】
また、二次記憶部１２０の空き容量が所定容量以下となったとき、イメージログ生成部１０３は生成したイメージログをイメージログ記憶部１２１に記憶せず、イメージログ送信制御部１０４による管理者用コンピュータ９００へのイメージログの送信のみに切り替えてもよい。
【図面の簡単な説明】
【００５１】
【図１】複写機の機械的構成を主に示す側面概略図。
【図２】複写機の電気的構成を示す機能ブロック図。
【図３】ＩＤ情報記憶部のデータ構成を示した図。
【図４】複写機のコピー処理の流れの一例を示したフローチャート。
【図５】操作パネルの画面例を示した図。
【図６】操作パネルの画面例を示した図。
【符号の説明】
【００５２】
１      複写機（画像読取装置、画像形成装置）
１００  制御部（消去手段、中止手段）
１０１  個人認証部（識別手段）
１０２  ドットパターン検出部（検出手段）
１０３  イメージログ生成部（生成手段、作成手段）
１０４  イメージログ送信制御部（送信手段）
１０５  表示制御部（表示制御手段）
１１０  一次記憶部
１１１  ＩＤ情報記憶部
１２０  二次記憶部
１２１  イメージログ記憶部（記憶手段）
５００  原稿読取部（読取手段）
１３０  画像メモリ
１４０  画像処理部
１５０  画像形成部（画像形成手段）
３００  用紙後処理部
４００  入力操作部（指示受付手段）
１６０  ネットワークＩ／Ｆ部
【図１】
2010109730.tif 000003
【図２】
2010109730.tif 000004
【図３】
2010109730.tif 000005
【図４】
2010109730.tif 000006
【図５】
2010109730.tif 000007
【図６】
2010109730.tif 000008